(57)【要約】【課題】構造が簡単で、部品点数も少なく、設置作業が容易で故障の少ない可動シャワーフック装置を提供すること。【解決手段】可動シャワーフック装置は、浴室壁面Ｗに固着した一対の既設シャワーフックＦ，Ｆに対し、既設シャワーフック間の距離より長く且つ既設シャワーフックの内径より細い支持管１と、支持管外面に嵌合する円筒状内面および既設シャワーフック内面に嵌合する下方が細い截頭円錐状外面を有する筒状形をなすと共に筒状形に縦方向の隙間を生じる切れ目が形成された一対の可撓材料製の係止具２と、支持管に挿嵌される縦通孔および縦通孔に隣接して設けられた可動シャワーフック３および停止部品１４を備えたシャワーフック保持具４とを具備する。【選択図】図１
2008156963.tif 000002
【特許請求の範囲】
【請求項１】
浴室壁面に垂直に固着された上下一対の既設シャワーフックに対し、一対の該既設シャワーフック間の距離より長く且つ該既設シャワーフックの内径より細い支持管と、該支持管外面に嵌合する円筒状内面および該既設シャワーフック内面に嵌合する該截頭円錐状外面を有する筒状形をなすと共に該筒状形に縦方向の隙間を生じる切れ目が形成された一対の可撓材料製の係止具と、該支持管に挿嵌される縦通孔および該縦通孔に隣接して設けられた可動シャワーフックおよび該支持管上の任意位置に停止させる停止部品を備えたシャワーフック保持具とよりなり、該シャワーフック保持具が挿嵌された該支持管に嵌合したそれぞれの該係止具をそれぞれの該既設シャワーフックに上方から押込むことによって該既設シャワーフックに該支持管を固定させることを特徴とする可動シャワーフック装置。
【請求項２】
前記係止具における筒状形周囲の前記切れ目には対向して直線状に延長する双方の縦方向端縁が形成され、前記係止具の前記隙間は双方の該縦方向端縁の間に形成されることを特徴とする請求項１記載の可動シャワーフック装置。
【請求項３】
前記係止具における筒状形周囲の前記切れ目には対向して縦方向に出隅および入隅の角度が直角とされた相互に噛み合う双方の凹凸縁が形成され、前記係止具の前記隙間は噛み合った双方の該凹凸縁の対向する双方の縦方向端縁の間に形成されることを特徴とする請求項１記載の可動シャワーフック装置。
【請求項４】
前記係止具は複数個の係止具分割体を筒状形に組合わせて構成され、前記係止具における筒状形周囲の前記切れ目は隣接する該係止具分割体の間に形成され、前記係止具における筒状形周囲の前記切れ目には対向して縦方向に出隅および入隅の角度が直角とされた相互に噛み合う双方の凹凸縁が形成され、前記係止具の前記隙間は噛み合った双方の該凹凸縁の対向する双方の縦方向端縁の間に形成されることを特徴とする請求項１記載の可動シャワーフック装置。
【発明の詳細な説明】
【技術分野】
【０００１】
本発明は、浴室等に設置される可動シャワーフック装置、特に既設シャワーフックに付加的に設置される可動シャワーフック装置に関する。
【背景技術】
【０００２】
住宅の浴室には、浴室壁面に垂直に固着された上下一対のシャワーフックが設置されているのが一般的である。これらの既存シャワーフックではシャワーヘッドが一定高さの位置にしか配置されないのでシャワーを使用する際に不便を生じる場合が多い。このような不便を解消するために、シャワーヘッドを任意位置に配置するための付加的な装置がが各種開発されている（例えば、特許文献１および特許文献２参照。）。しかしながらこれらの装置は、いずれも既存シャワーヘッドに付加的に取付ける接合構造が複雑で、細かい部品を使用する上に部品点数も多く、設置作業が複雑であったり、部品の一部が外れて紛失したりする欠点がある。
【０００３】
【特許文献１】特開２００５−４２４３７号公報
【特許文献２】特開２００５−１１３６０５号公報
【発明の開示】
【発明が解決しようとする課題】
【０００４】
本発明が解決しようとする課題は、構造が簡単で、部品点数も少なく、設置作業が容易で故障の少ない可動シャワーフック装置を提供することにある。
【課題を解決するための手段】
【０００５】
前記課題を解決するために、本発明の可動シャワーフック装置は、浴室壁面に垂直に固着された上下一対の既設シャワーフックに対し、一対の該既設シャワーフック間の距離より長く且つ該既設シャワーフックの内径より細い支持管と、該支持管外面に嵌合する円筒状内面および該既設シャワーフック内面に嵌合する下方が細い截頭円錐状外面を有する筒状形をなすと共に該筒状形に縦方向の隙間を生じる切れ目が形成された一対の可撓材料製の係止具と、該支持管に挿嵌される縦通孔および該縦通孔に隣接して設けられた可動シャワーフックおよび該支持管上の任意位置に停止させる停止部品を備えたシャワーフック保持具とよりなり、該シャワーフック保持具が挿嵌された該支持管に嵌合したそれぞれの該係止具をそれぞれの該既設シャワーフックに上方から押込むことによって該既設シャワーフックに該支持管を固定させることを特徴とする。
【発明の効果】
【０００６】
本発明は、次のような効果を奏する。
Ａ．浴室壁面に固着された既設シャワーフックに対し、特別な工事を必要としないで設置することが可能であり、設置作業も容易である。
Ｂ．全体の部品点数が少なく、部品の一部が外れて紛失するようなことがない。
Ｃ．可動シャワーフックは浴室内で浴室壁面から離れる距離が短く、邪魔になるようなことがない。
Ｄ．一対の既設シャワーフック間の距離よりも可成り長い支持管を設置した場合には、上側の既設シャワーフックよりも高い位置や、下側の既設シャワーフックより低い位置にシャワーフック保持具を位置させることが可能となる。
【発明を実施するための最良の形態】
【０００７】
本発明を実施するための最良の形態について、以下実施例において、添付図面を参照しながら具体的に説明する。
【実施例】
【０００８】
図１には、本発明に係る可動シャワーフック装置の設置状態が示されている。一般的に浴室壁面Ｗには、上下一対の既設シャワーフックＦ，Ｆが垂直に間隔をあけて固着されている。これら既設シャワーフックＦ，ＦにシャワーヘッドＨを保持させた場合には、シャワーは限定された一定の高さから噴出することになり、使い勝手が良くない。本発明では、これら一対の既設シャワーフックＦ，Ｆを利用して任意の高さにシャワーヘッドＨを位置させるようにしたものである。
【０００９】
図１および図２において、本発明の可動シャワーフック装置は、一対の該シャワーフックＦ，Ｆ間の距離より長く且つ一対の既設シャワーフックＦ，Ｆの内径より細い支持管１と、支持管１外面に嵌合する円筒形内面および一対の既設シャワーフックＦ，Ｆの内面に嵌合する下方が細い截頭円錐状外面を有する筒状形をなすと共に、後述するように、筒状形に縦方向の隙間を生じる切れ目が形成された一対の可撓材料製の一対の係止具２，２と、支持管１に挿嵌され可動シャワーフック３を保持し支持管１上の任意位置に停止させることのできるシャワーフック保持具４とよりなる。
【００１０】
支持管１について詳細に説明すると、支持管１は一般的にアルミニウムやステンレス鋼等の金属管で形成され、支持管１間上下端には内部浸水を防止するためのキャップ１０が嵌合されている。支持管１の長さは、一対のシャワーフックＦ，Ｆ間の距離より長く形成されればよく、図１に示されるように、略両端箇所を一対のシャワーフックＦ，Ｆに固定される場合や、図６に示されるように一対のシャワーフックＦ，Ｆから更に上下に延長される場合もある。
【００１１】
次に係止具２について詳細に説明すると、係止具２はＡＢＳ樹脂やポリオキシメチレン等の可撓製材料で製造される。係止具２の最も基本的な態様は、図３に示されるように、支持管１外面に嵌合する円筒状内面５および既設シャワーフックＦ内面に嵌合する下方が細い截頭円錐状外面６を有する筒状形をなすと共に筒状形に縦方向の隙間７を生じる切れ目８が形成されたものである。この隙間７は、筒状形の係止具２を既設シャワーフックＦに打込む際に、截頭円錐状外面５が傾斜に沿って既設シャワーフックＦ内面に当接してその直径を小さくしながら進行するが、同時に小さくなる周囲長を許容するために設けられる。即ち係止具２における筒状形周囲の一箇所の切れ目８には対向して直線状に延長する双方の縦方向端縁９，９が形成され、係止具２の隙間７は双方の縦方向端縁９，９の間に形成されることになる。図４および図５には２分割した係止具分割体２ａ，２ａによって構成される係止具２が示されている。即ち係止具２は２個の係止具分割体２ａを筒状形に組合わせて構成されるもので、この場合に係止具２における筒状形周囲の切れ目８は隣接する一双の係止具分割体２ａ，２ａの間に形成される。そして係止具２における筒状形周囲の切れ目８には対向して縦方向に出隅および入隅の角度が直角とされた相互に噛み合う双方の凹凸縁１１，１１が形成される。係止具２の隙間７は噛み合った双方の凹凸縁１１，１１の対向する双方の縦方向端縁９，９の間に形成される。２個の係止具分割体２ａ，２ａは、分解しない状態を保持することができる。
【００１２】
図４および図５に示されるような係止具２の隙間７の形成手段は、図３に示されるような一箇所の切れ目８を有する係止具２にも採用することができる。即ち図３に示されるような係止具２における筒状形周囲の一箇所の切れ目８に、図４に示されるような対向して縦方向に出隅および入隅の角度が直角とされた相互に噛み合う双方の凹凸縁１１，１１を形成して、係止具２の隙間７が噛み合った双方の凹凸縁１１，１１の対向する双方の縦方向端縁９，９の間に形成されるようにすることが可能である。凹凸縁１１，１１を設けた切れ目８が直線状の切れ目８より有利な点は、筒状形の係止具２を既設シャワーフックＦに押込む際に、直線状の切れ目８では切れ目８で対向する双方の縦方向端縁９，９の間で縦方向のずれを生じて不確実な係止を生ずる虞があるが、凹凸縁１１，１１を設けた切れ目８では双方の横方向端縁１２，１２が係合しているから対向する双方の縦方向端縁９，９の間で縦方向のずれを生じることがなく常に確実な係止を保証できる点である。また凹凸縁１１，１１を設けた切れ目８では、係止具分割体２ａ，２ａによって係止具２を組立てる際に、係止具分割体２ａ，２ａの隣接する一双の横方向端縁１２，１２が係合していて相互の凹凸縁１１，１１が噛み合っているから、簡単には分解せず一時的に筒状形を保つことができるので押込み作業を容易に行うことができる。
【００１３】
シャワーフック保持具４は、図２および図５に示されるように、支持管１に挿嵌される縦通孔１３を備えると共に縦通孔１３に隣接して可動シャワーフック３が設けられ、さらにシャワーフック保持具４を支持管１の任意位置に停止させる停止部品として、先端が支持管１を押圧する停止螺子１４が螺孔１５にねじ込まれる態様が採用されている。可動シャワーフック３が縦通孔１３に隣接するために、可動シャワーフック３は浴室内で浴室壁面から離れる距離が短く、邪魔になるようなことがない。
【００１４】
このような部品からなる可動シャワーフック装置の浴室壁面Ｗへの設置は、先ずシャワーフック保持具４の縦通孔１３に挿通した支持管１の上下位置に一対の係止具２，２を取付ける。係止具２が図３に示されるような一体型の場合には、支持管１の上下から挿通し、図４に示されるように、係止具分割体２ａを組立てる係止具２の場合には支持管１の上下位置で組立てる。次いで一対の係止具２，２を一対の既設シャワーフックＦ，Ｆに上方から押込むと、下方が細い各係止具２が各既設シャワーフックＦ内面に嵌合し、各係止具２は可撓材料製であるので各既設シャワーフックＦに嵌着し、支持管１は一対の既設シャワーフックＦ，Ｆに支持される。支持管１に挿通されたシャワーフック保持具４の停止螺子１４を緩めてシャワーフック保持具４を任意の高さ位置に設定して停止螺子４を締着すれば、シャワーフック保持具４の可動シャワーフック３に係合したシャワーヘッドＨを任意の高さに位置決めすることができる。図６には一対の既設シャワーフックＦ，Ｆ間の距離よりも可成り長い支持管１を設置した場合が示されている。このように長い支持管１を採用した場合には、図６に示されるように、上側の既設シャワーフックＦよりも高い位置や、下側の既設シャワーフックＦより低い位置にシャワーフック保持具４を位置させることが可能となる。本発明では、全体として部品点数が少なく、部品の一部が外れて紛失するようなことがない。また設置作業も容易である。
【図面の簡単な説明】
【００１５】
【図１】設置された可動シャワーフック装置の斜視図である。
【図２】設置された可動シャワーフック装置の縦断面図である。
【図３】係止具の一例を示す斜視図である。
【図４】係止具の他例を示す斜視図である。
【図５】可動シャワーフック装置の分解斜視図である。
【図６】延長した支持管を使用した可動シャワーフック装置の斜視図である。
【符号の説明】
【００１６】
１  支持管
２  係止具
２ａ  係止具分割体
３  可動シャワーフック
４  シャワーフック保持具
５  円筒状内面
６  截頭円錐状外面
７  隙間
８  切れ目
９  縦方向端縁
１１  凹凸縁
１３  縦通孔
１４  停止螺子（停止部品）
【図１】
2008156963.tif 000003
【図２】
2008156963.tif 000004
【図３】
2008156963.tif 000005
【図４】
2008156963.tif 000006
【図５】
2008156963.tif 000007
【図６】
2008156963.tif 000008